(57)【要約】【課題】  ＭＥＭＳマイクとＥＣＭの何れについても信号増幅とバイアス電圧の供給とを行うことができるようにする。【解決手段】  ＭＥＭＳマイク４１を使用する場合には、マイク切換スイッチ３４を被切換端子Ａ側に切り換えて抵抗３３（入力抵抗）を接続すると共にＭＥＭＳ／ＥＣＭ切換スイッチ３５を被切換端子Ｄ側に切り換えて電源電圧をＭＥＭＳマイク４１の電源ラインに供給し、ＥＣＭを使用する場合にはマイク切換スイッチ３４を被切換端子Ｂに切り換えて抵抗３３を切り離すと共にＭＥＭＳ／ＥＣＭ切換スイッチ３５を被切換端子Ｅに切り換えて抵抗２６（バイアス抵抗）を介したバイアス電圧をＥＣＭに供給する。またマイク増幅／バイアス回路５０は、集積回路からなり、ＭＥＭＳ／ＥＣＭ切換スイッチ３５に近接してダミースイッチ５１を設け、そのダミースイッチ５１により、ＭＥＭＳ／ＥＣＭ切換スイッチ３５の内部抵抗値分を補償している。【選択図】  図５
2008301406.tif 000002
【特許請求の範囲】
【請求項１】
少なくとも、入力抵抗を必要とする第１のマイクロホンとバイアス抵抗を必要とする第２のマイクロホンの何れかの音声信号出力ラインに接続され、その接続されたマイクロホンからの音声出力信号が供給されるマイクロホン入力端子と、
入力抵抗の値若しくはバイアス抵抗の値と、増幅率調整用抵抗の値との比に基づいて、上記マイクロホン入力端子に接続されたマイクロホンからの音声出力信号を増幅する信号増幅器と、
上記信号増幅器により増幅された音声信号を出力するための音声信号出力端子と、
上記第１のマイクロホンへの電源電圧若しくは上記第２のマイクロホンへのバイアス電圧を発生するための電圧発生回路と、
上記第１のマイクロホンの電源電圧若しくは上記第２のマイクロホンのバイアス電圧を出力するための電圧出力端子と、
少なくとも、上記マイクロホン入力端子に上記第１のマイクロホンが接続された際に切換設定されると共に入力抵抗を介して上記マイクロホン入力端子に接続された第１の被切換端子と、上記マイクロホン入力端子に上記第２のマイクロホンが接続された際に切換設定されると共に上記マイクロホン入力端子に接続された第２の被切換端子と、上記信号増幅器の信号入力端子に接続された共通端子とを有する第１の切換スイッチと、
上記電圧出力端子に上記第１のマイクロホンが接続された際に切換設定されると共に上記電圧発生回路に接続された第１の被切換端子と、上記電圧出力端子に上記第２のマイクロホンが接続された際に切換設定されると共にバイアス抵抗を介して上記電圧発生回路に接続された第２の被切換端子と、上記電圧出力端子に接続された共通端子とを有する第２の切換スイッチと、
上記第２の切換スイッチに近接して設けられて当該第２の切換スイッチの内部抵抗値と略々同じ内部抵抗値を有し、二つの被切換端子のうちの一方の被切換端子側への固定切換設定がなされていると共に共通端子が上記マイクロホン入力端子に接続され、その固定切換設定された被切換端子が上記入力抵抗を介して上記第１の切換スイッチの第１の被切換端子に接続されている固定スイッチとを備え、
集積回路により形成されている、
ことを特徴とするマイクロホン増幅回路。
【請求項２】
少なくとも、バイアス抵抗を必要とする第３のマイクロホンからの音声出力信号が供給される第２のマイクロホン入力端子と、
第３のマイクロホンへのバイアス電圧を出力するための第２の電圧出力端子と、
上記第２の切換スイッチに近接して設けられ、二つの被切換端子のうちの一方の被切換端子側への固定切換設定がなされていると共に共通端子が上記第２の電圧出力端子に接続され、その固定切換設定された被切換端子がバイアス抵抗を介して上記電圧発生回路に接続されている第２の固定スイッチとを備え、
上記第１の切換スイッチは、上記第２のマイクロホン入力端子に上記第３のマイクロホンが接続された際に切換設定されると共に上記第２のマイクロホン入力端子に接続された第３の被切換端子を有することを特徴とする請求項１記載のマイクロホン増幅回路。
【請求項３】
上記入力抵抗を必要とする第１のマイクロホンは微小電気機械システムにより形成されたマイクロホンであり、上記バイアス抵抗を必要とする第２のマイクロホンはエレクトレットコンデンサマイクロホンであることを特徴とする請求項１記載のマイクロホン増幅回路。
【請求項４】
上記バイアス抵抗を必要とする第３のマイクロホンは、所定の携帯端末の外部コネクタを介して外部接続されるエレクトレットコンデンサマイクロホンであることを特徴とする請求項１記載のマイクロホン増幅回路。
【請求項５】
マイクロホン増幅回路とそのマイクロホン増幅回路にて増幅された音声信号に所定の音声処理を施す音声処理回路と内蔵バッテリとを少なくとも有する携帯端末において、
上記マイクロホン増幅回路は、
少なくとも、入力抵抗を必要とする第１のマイクロホンとバイアス抵抗を必要とする第２のマイクロホンの何れかの音声信号出力ラインに接続され、その接続されたマイクロホンからの音声出力信号が供給されるマイクロホン入力端子と、
入力抵抗の値若しくはバイアス抵抗の値と、増幅率調整用抵抗の値との比に基づいて、上記マイクロホン入力端子に接続されたマイクロホンからの音声出力信号を増幅する信号増幅器と、
上記信号増幅器により増幅された音声信号を、上記音声処理回路へ出力するための音声信号出力端子と、
上記内蔵バッテリからの出力を基に、上記第１のマイクロホンへの電源電圧若しくは上記第２のマイクロホンへのバイアス電圧を発生するための電圧発生回路と、
第１のマイクロホンへの電源電圧若しくは上記第２のマイクロホンへのバイアス電圧を出力するための電圧出力端子と、
少なくとも、上記マイクロホン入力端子に上記第１のマイクロホンが接続された際に切換設定されると共に入力抵抗を介して上記マイクロホン入力端子に接続された第１の被切換端子と、上記マイクロホン入力端子に上記第２のマイクロホンが接続された際に切換設定されると共に上記マイクロホン入力端子に接続された第２の被切換端子と、上記信号増幅器の信号入力端子に接続された共通端子とを有する第１の切換スイッチと、
上記電圧出力端子に上記第１のマイクロホンが接続された際に切換設定されると共に上記電圧発生回路に接続された第１の被切換端子と、上記電圧出力端子に上記第２のマイクロホンが接続された際に切換設定されると共にバイアス抵抗を介して上記電圧発生回路に接続された第２の被切換端子と、上記電圧出力端子に接続された共通端子とを有する第２の切換スイッチと、
上記第２の切換スイッチに近接して設けられて当該第２の切換スイッチの内部抵抗値と略々同じ内部抵抗値を有し、二つの被切換端子のうちの一方の被切換端子側への固定切換設定がなされていると共に共通端子が上記マイクロホン入力端子に接続され、その固定切換設定された被切換端子が上記入力抵抗を介して上記第１の切換スイッチの第１の被切換端子に接続されている固定スイッチとを備え、
集積回路により形成されている、
ことを特徴とする携帯端末。
【請求項６】
上記マイクロホン増幅回路は、
少なくとも、バイアス抵抗を必要とする第３のマイクロホンからの音声出力信号が供給される第２のマイクロホン入力端子と、
第３のマイクロホンへのバイアス電圧を出力するための第２の電圧出力端子と、
上記第２の切換スイッチに近接して設けられ、二つの被切換端子のうちの一方の被切換端子側への固定切換設定がなされていると共に共通端子が上記第２の電圧出力端子に接続され、その固定切換設定された被切換端子がバイアス抵抗を介して上記電圧発生回路に接続されている第２の固定スイッチとを備え、
上記第１の切換スイッチは、上記第２のマイクロホン入力端子に上記第３のマイクロホンが接続された際に切換設定されると共に上記第２のマイクロホン入力端子に接続された第３の被切換端子を有することを特徴とする請求項５記載の携帯端末。
【請求項７】
上記入力抵抗を必要とする第１のマイクロホンは微小電気機械システムにより形成されたマイクロホンであり、上記バイアス抵抗を必要とする第２のマイクロホンはエレクトレットコンデンサマイクロホンであることを特徴とする請求項５記載の携帯端末。
【請求項８】
外部マイクロホン接続用の外部コネクタを備え、
上記バイアス抵抗を必要とする第３のマイクロホンは、上記外部コネクタを介して外部接続されるエレクトレットコンデンサマイクロホンであることを特徴とする請求項５記載の携帯端末。
【発明の詳細な説明】
【技術分野】
【０００１】
本発明は、例えば携帯電話端末等に搭載若しくは接続される小型のマイクロホンからの入力信号を増幅すると共に、そのマイクロホンへ電源電圧或いはバイアス電圧を適宜供給するマイクロホン増幅回路と、そのマイクロホン増幅回路を備えた携帯端末に関する。
【背景技術】
【０００２】
従来より、携帯電話端末には、いわゆるエレクトレットコンデンサマイクロホン（以下、ＥＣＭと表記する。）が使用されている。このＥＣＭは、音声出力兼電源端子とグランド（ＧＮＤ）端子の二つの端子を備えており、また、音声出力ラインに例えば２．０Ｖ（ボルト）程度のバイアス電圧を重畳して当該マイクロホン自身の電源としている。
【０００３】
一方、最近は、いわゆるＭＥＭＳ（Micro Electro Mechanical Systems：微小電気機械システム）の技術を用いて開発された新しいタイプの表面実装に対応したマイクロホン（以下、ＭＥＭＳマイクと表記する。）が使われ始めている。
【０００４】
なお、上記ＥＣＭは上述のように音声出力兼電源端子とグランド（ＧＮＤ）端子の二つの端子を備えているのに対し、上記ＭＥＭＳマイクは、電源端子と音声出力端子とグランド端子の三つの端子を有しており、また、当該ＭＥＭＳマイクの周辺回路はＥＣＭで用いられる周辺回路とは構成が異なっている。
【０００５】
図９には、ＥＣＭとその周辺回路として用いられるマイクロホンアンプの一回路構成例を示す。なお、この図９に示すマイクロホンアンプは、マイクロホンからの信号増幅とマイクロホンへのバイアス電圧供給とを行う回路となされており、以下、マイク増幅／バイアス回路と表記する。
【０００６】
図９において、ＥＣＭ１０１は、携帯電話端末１００の例えば内蔵マイクロホンであり、当該ＥＣＭ１０１の音声出力ライン（つまり音声出力兼電源端子）は、直流カット用のコンデンサ１０２を介してマイク増幅／バイアス回路１１０のマイク入力端子（ＭＩＣＩ）１１１に接続されている。また、ＥＣＭ１０１の音声出力ラインは、マイク増幅／バイアス回路１１０のバイアス端子１１２にも接続されている。
【０００７】
マイク増幅／バイアス回路１１０は、演算増幅器１１４、可変抵抗器１１６、バイアス抵抗としての２ｋΩ（キロオーム）の抵抗器１１３、バッファアンプ１１５等により構成されている。
【０００８】
当該マイク増幅／バイアス回路１１０のマイク入力端子１１１は上記演算増幅器１１４の反転入力端子と接続されており、上記バイアス端子１１２は上記２ｋΩの抵抗器１１３の一端が接続されている。
【０００９】
また、上記２ｋΩの抵抗器１１３の他端は、バッファアンプ１１５を介して例えば２．０Ｖの電源と接続されている。したがって、マイク増幅／バイアス回路１１０のバイアス端子１１２から出力されて上記ＥＣＭ１０１の音声出力ラインに重畳されるバイアス電圧は、上記２．０Ｖの電源電圧がバッファアンプ１１５及び抵抗器１１３を介した電圧となされている。
【００１０】
また、上記バッファアンプ１１５の出力端は、演算増幅器１１４の非反転入力端子と接続されており、上記バッファアンプ１１５を介した電源電圧の２．０Ｖが当該演算増幅器１１４の基準電圧となされている。また、演算増幅器１１４の出力端子から反転入力端子までの帰還ループ内には、可変抵抗器１１６が接続されている。すなわち当該マイク増幅／バイアス回路１１０では、上記可変抵抗器１１６の抵抗値調整によりゲインコントロールが可能となされている。そして、上記演算増幅器１１４の出力端子は、マイク増幅／バイアス回路１１０の音声出力端子（ＭＩＣＯ）１１７に接続されており、当該音声出力端子１１７が携帯電話端末１００の図示しない所定の音声処理回路に接続されている。
【００１１】
図１０には、ＭＥＭＳマイクとその周辺回路として用いられるマイクロホンアンプ（マイク増幅／電源回路）の一回路構成例を示す。なお、この図１０において、図９に示したものと基本的に同じ機能を有する構成要素には、図９と同じ指示符号を付している。
【００１２】
図１０において、ＭＥＭＳマイク１２１は、携帯電話端末１００の内蔵マイクロホンであり、当該ＭＥＭＳマイク１２１の音声出力ラインは、直流カット用のコンデンサ１０２を介してマイク増幅／電源回路１３０のマイク入力端子（ＭＩＣＩ）１１１に接続されている。また、ＭＥＭＳマイク１２１の電源ラインには、マイク増幅／電源回路１３０の電源端子１３２が接続されている。
【００１３】
図１０のマイク増幅／電源回路１３０は、演算増幅器１１４、可変抵抗器１１６、入力抵抗である２ｋΩ（キロオーム）の抵抗器１３１、バッファアンプ１１５等により構成されている。
【００１４】
当該マイク増幅／電源回路１３０のマイク入力端子１１１は、２ｋΩの抵抗器１３１を介して演算増幅器１１４の反転入力端子と接続されている。一方、電源端子１３２は、バッファアンプ１１５を介して２．０Ｖの電源と接続されている。したがって、図１０の場合のマイク増幅／電源回路１３０の電源端子１３２からは、上記バッファアンプ１１５を介した電源電圧の２．０Ｖが出力される。これにより、上記ＭＥＭＳマイク１２１の電源ラインには、上記２．０Ｖの電源電圧が供給されることになる。
【００１５】
また、図１０のマイク増幅／電源回路１３０は、図９の構成と同様に、演算増幅器１１４の出力端子から反転入力端子までの帰還ループ内には、可変抵抗器１１６が接続されている。そして、上記演算増幅器１１４の出力端子は、マイク増幅／電源回路１３０の音声出力端子（ＭＩＣＯ）１１７に接続されており、当該音声出力端子１１７が携帯電話端末１００の図示しない所定の音声処理回路に接続されている。
【００１６】
これら図９と図１０の構成から明らかなように、ＥＣＭ用のマイク増幅／バイアス回路１１０と、ＭＥＭＳマイク用のマイク増幅／電源回路１３０とでは、２ｋΩの抵抗器１１３，１３１の位置、電源電圧やバイアス電圧の印加方法がそれぞれ異なっている。
【００１７】
また、従来の一般的な携帯電話端末では、内蔵マイクロホンとしてＥＣＭが用いられており、また、携帯電話端末に外部接続されるマイクロホンは、純正アクセサリーとして用意されているマイクロホンだけでなく、いわゆるサードパーティから多数販売されているマイクロホンにおいてもＥＣＭが使われていた。このため、従来の携帯電話端末は、内蔵マイクロホンと外部接続されるマイクロホンとで、一つのマイク増幅／バイアス回路を切り換えて使用することが行われていた。
【００１８】
図１１には、内蔵マイクロホンのＥＣＭ１０１ａと外部接続されたマイクロホンのＥＣＭ１０１ｂを切り換えて使用する場合のマイク増幅／バイアス回路１７０の一回路構成例を示す。なお、この図１１において、図９及び図１０に示したものと基本的に同じ機能を有する構成要素には、図９，図１０と同じ指示符号を付している。
【００１９】
図１１において、携帯電話端末１５０の内部ＥＣＭ１０１ａの音声出力ライン（音声出力兼電源端子）は、直流カット用のコンデンサ１０２ａを介してマイク増幅／バイアス回路１７０の内部マイク入力端子（ＭＩＣＩ）１１１ａに接続されており、また、当該内部ＥＣＭ１０１ａの音声出力ラインには、マイク増幅／バイアス回路１７０の内部バイアス端子（ＭＶＲ）１１２ａも接続されている。
【００２０】
一方、外部ＥＣＭ１０１ｂの音声出力ラインは、直流カット用のコンデンサ１０２ｂを介してマイク増幅／バイアス回路１７０の外部マイク入力端子（ＭＩＣＩ）１１１ｂに接続されており、また、当該外部ＥＣＭ１０１ｂの音声出力ラインには、マイク増幅／バイアス回路１７０の外部バイアス端子１１２ｂも接続されている。
【００２１】
マイク増幅／バイアス回路１７０は、前述同様の演算増幅器１１４、可変抵抗器１１６、バッファアンプ１１５の他、二つの２ｋΩ（キロオーム）の抵抗器１１３ａ，１１３ｂと内部／外部マイク切換スイッチ１７１を備えて構成されている。
【００２２】
当該マイク増幅／バイアス回路１７０の内部マイク入力端子１１１ａは内部／外部マイク切換スイッチ１７１の被切換端子ａに接続され、外部マイク入力端子１１１ｂは内部／外部マイク切換スイッチ１７１の被切換端子ｂに接続されている。そして、当該内部／外部マイク切換スイッチ１７１の共通端子は上記演算増幅器１１４の反転入力端子に接続されている。
【００２３】
また、マイク増幅／バイアス回路１７０の上記内部バイアス端子１１２ａは、バイアス抵抗である２ｋΩの抵抗器１１３ａの一端と接続されており、一方、外部バイアス端子１１２ｂは、同じくバイアス抵抗である２ｋΩの抵抗器１１３ｂの一端と接続されている。
【００２４】
また、上記２ｋΩの抵抗器１１３ａの他端及び抵抗器１１３ｂの他端は、バッファアンプ１１５を介して例えば２．０Ｖの電源と接続されている。したがって、マイク増幅／バイアス回路１７０の内部バイアス端子１１２ａから出力されて上記内部ＥＣＭ１０１ａの音声出力ラインに重畳されるバイアス電圧は、上記２．０Ｖの電源電圧がバッファアンプ１１５及び抵抗器１１３ａを介した電圧となされ、同様に、外部バイアス端子１１３ｂから出力されて外部ＥＣＭ１０１ｂの音声出力ラインに重畳されるバイアス電圧は、上記２．０Ｖの電源電圧がバッファアンプ１１５及び抵抗器１１３ｂを介した電圧となされている。
【００２５】
また、上記バッファアンプ１１５の出力端は、演算増幅器１１４の非反転入力端子と接続されており、上記バッファアンプ１１５を介した電源電圧の２．０Ｖが当該演算増幅器１１４の基準電圧となされている。そして、上記演算増幅器１１４の出力端子は、マイク増幅／バイアス回路１７０の音声出力端子（ＭＩＣＯ）１１７に接続されており、当該音声出力端子１１７が携帯電話端末１５０の図示しない所定の音声処理回路に接続されている。
【００２６】
この図１１の構成において、上記マイク増幅／バイアス回路１７０の内部／外部マイク切換スイッチ１７１は、内部ＥＣＭ１０１ａが使用される場合には、上記被切換端子ａ側に切り換えられ、外部ＥＣＭ１０１ｂが使用される場合には、上記被切換端子ｂ側に切り換えられる。これにより、当該図１１の構成では、一つのマイク増幅／バイアス回路１７０を、内部ＥＣＭ１０１ａと外部ＥＣＭ１０１ｂとで切り換えて使用可能となる。
【００２７】
なお、特開２０００−２３６３８３号の公開特許公報（特許文献１）や特開２００６−２２９３３６号の公開特許公報（特許文献２）には、特表２００７−５１２７９３号の公表特許公報（特許文献３）には、携帯電話端末等の小型携帯端末に搭載可能なＥＣＭやＭＥＭＳマイクが開示されている。
【００２８】
【特許文献１】特開２０００−２３６３８３号公報（図１）
【特許文献２】特開２００６−２２９３３６号公報（図１）
【特許文献３】特表２００７−５１２７９３号公報（図１）
【発明の開示】
【発明が解決しようとする課題】
【００２９】
ところで、例えば表面実装に対応した前述のＭＥＭＳマイクを内蔵マイクロホンとして携帯電話端末に搭載したことを考えた場合、その内蔵マイクロホンであるＭＥＭＳマイクと外部接続されるマイクロホンのＥＣＭとではそれぞれ使用可能な回路構成に差異がある（抵抗器の位置や必要とする電圧が異なる）ため、上述した図１１の例のように一つのマイク増幅／バイアス回路１７０をそのまま用いることはできない。勿論、携帯電話端末内にＭＥＭＳマイク用とＥＣＭ用の二つのマイク増幅／バイアス回路を設けることも考えられるが、小型且つ軽量，薄型化が要求される携帯電話端末に二つもマイク増幅／バイアス回路を搭載することは避けなければならない。このようなことから、内蔵マイクロホンがＭＥＭＳマイクとなされ、一方、外部接続されるマイクロホンがＥＣＭであるような場合であっても、一つで対応することが可能なマイク増幅／バイアス回路の開発が望まれている。
【００３０】
また、近年は、例えば異なる機種の携帯電話端末内に同じ回路を搭載することで、複数の機種の携帯電話端末を短期間に開発すると同時に設計，製造コストの削減をも行うようになされている。このため、異なる機種の携帯電話端末に搭載されるマイク増幅／バイアス回路についても同様に、ＭＥＭＳマイクとＥＣＭの両者に対応可能なマイク増幅／バイアス回路を開発することが望まれている。
【００３１】
本発明は、このような実情に鑑みて提案されたものであり、ＭＥＭＳマイクとＥＣＭの何れについても信号増幅とバイアス電圧の供給とを行うことが可能なマイクロホン増幅回路とそのマイクロホン増幅回路を備えた携帯端末を提供することを目的とする。
【課題を解決するための手段】
【００３２】
本発明のマイクロホン増幅回路は、少なくとも、入力抵抗を必要とする第１のマイクロホンとバイアス抵抗を必要とする第２のマイクロホンの何れかの音声信号出力ラインに接続され、当該接続されたマイクロホンからの音声出力信号が供給されるマイクロホン入力端子と、入力抵抗の値若しくはバイアス抵抗の値と増幅率調整用抵抗の値との比に基づいて、マイクロホンからの音声出力信号を増幅する信号増幅器と、第１のマイクロホンへの電源電圧若しくは第２のマイクロホンへのバイアス電圧を発生するための電圧発生回路と、第１のマイクロホンの電源電圧若しくは第２のマイクロホンへのバイアス電圧を出力するための電圧出力端子と、少なくとも第１のマイクロホンが接続された際に切換設定されると共に入力抵抗を介してマイクロホン入力端子に接続された第１の被切換端子と第２のマイクロホンが接続された際に切換設定されると共にマイクロホン入力端子に接続された第２の被切換端子と信号増幅器の信号入力端子に接続された共通端子とを有する第１の切換スイッチと、第１のマイクロホンが接続された際に切換設定されると共に電圧発生回路に接続された第１の被切換端子と第２のマイクロホンが接続された際に切換設定されると共にバイアス抵抗を介して電圧発生回路に接続された第２の被切換端子と電圧出力端子に接続された共通端子とを有する第２の切換スイッチと、第２の切換スイッチに近接して設けられて当該第２の切換スイッチの内部抵抗値と略々同じ内部抵抗値を有し、二つの被切換端子のうちの一方の被切換端子側への固定切換設定がなされていると共に共通端子がマイクロホン入力端子に接続され、その固定切換設定された被切換端子が入力抵抗を介して第１の切換スイッチの第１の被切換端子に接続されている固定スイッチとを備え、集積回路により形成されていることにより、上述した課題を解決する。
【００３３】
また、本発明の携帯端末は、マイクロホン増幅回路を備えた端末であり、そのマイクロホン増幅回路が、少なくとも入力抵抗を必要とする第１のマイクロホンとバイアス抵抗を必要とする第２のマイクロホンの何れかの音声信号出力ラインに接続され、その接続されたマイクロホンからの音声出力信号が供給されるマイクロホン入力端子と、入力抵抗の値若しくはバイアス抵抗の値と増幅率調整用抵抗の値との比に基づいてマイクロホンからの音声出力信号を増幅する信号増幅器と、第１のマイクロホンへの電源電圧若しくは第２のマイクロホンへのバイアス電圧を発生するための電圧発生回路と、第１のマイクロホンへの電源電圧若しくは第２のマイクロホンへのバイアス電圧を出力するための電圧出力端子と、少なくとも第１のマイクロホンが接続された際に切換設定されると共に入力抵抗を介してマイクロホン入力端子に接続された第１の被切換端子と第２のマイクロホンが接続された際に切換設定されると共にマイクロホン入力端子に接続された第２の被切換端子と信号増幅器の信号入力端子に接続された共通端子とを有する第１の切換スイッチと、第１のマイクロホンが接続された際に切換設定されると共に電圧発生回路に接続された第１の被切換端子と第２のマイクロホンが接続された際に切換設定されると共にバイアス抵抗を介して電圧発生回路に接続された第２の被切換端子と電圧出力端子に接続された共通端子とを有する第２の切換スイッチと、第２の切換スイッチに近接して設けられて当該第２の切換スイッチの内部抵抗値と略々同じ内部抵抗値を有し、二つの被切換端子のうちの一方の被切換端子側への固定切換設定がなされていると共に共通端子がマイクロホン入力端子に接続され、その固定切換設定された被切換端子が入力抵抗を介して第１の切換スイッチの第１の被切換端子に接続されている固定スイッチとを備え、集積回路により形成されていることにより、上述した課題を解決する。
【００３４】
すなわち本発明によれば、マイクロホン入力端子及び電圧出力端子に、第１或いは第２のマイクロホンが接続された時、その接続されたマイクロホンに応じて第１，第２の切換スイッチの切換設定を行うことにより、一つのマイクロホン増幅回路で第１，第２のマイクロホンの何れにも対応可能とし、さらには、第２の切換スイッチに近接配置することで当該第２の切換スイッチの内部抵抗値と略々同じ内部抵抗値となる固定スイッチを設け、その固定スイッチにより、第２の切換スイッチの内部抵抗値分の補償を行っている。
【発明の効果】
【００３５】
本発明においては、マイクロホン入力端子及び電圧出力端子に、第１或いは第２のマイクロホンが接続された時、その接続されたマイクロホンに応じて第１，第２の切換スイッチの切換設定を行うことで、一つのマイクロホン増幅回路により、第１，第２のマイクロホン（例えばＭＥＭＳマイクとＥＣＭ）の何れについても信号増幅とバイアス電圧の供給とを行えるようにし、さらには、第２の切換スイッチに近接配置することで当該第２の切換スイッチの内部抵抗値と略々同じ内部抵抗値となる固定スイッチを設け、その固定スイッチにより第２の切換スイッチの内部抵抗値分の補償を行うことにより、マイクロホン入力端子及び電圧出力端子に接続されるマイクロホンの種類によって増幅率が異なってしまわないようにしている。
【発明を実施するための最良の形態】
【００３６】
以下、図面を参照しながら、本発明の一実施形態について説明する。
【００３７】
なお、本実施形態では、本発明のマイクロホン増幅回路の一例として、エレクトレットコンデンサマイクロホン（ＥＣＭ）とＭＥＭＳマイクロホン（ＭＥＭＳマイク）の両者に適応可能なマイク増幅／バイアス回路を挙げ、また、そのマイク増幅／バイアス回路が搭載される携帯端末の一例として携帯電話端末を例に挙げているが、勿論、ここで説明する内容はあくまで一例であり、本発明はこの例に限定されないことは言うまでもない。
【００３８】
〔ＭＥＭＳマイクを内蔵しＥＣＭを外部接続した構成で内部ＭＥＭＳマイクを用いる例〕
図１には、携帯電話端末１の内蔵マイクロホンとして表面実装に対応したＭＥＭＳマイク４１が搭載され、一方、外部接続されるマイクロホンとしてＥＣＭ２を用いた場合において、内蔵マイクロホンであるＭＥＭＳマイク４１を使用することにした場合のマイク増幅／バイアス回路４０の切換設定例を示している。
【００３９】
図１において、ＭＥＭＳマイク４１は携帯電話端末１の内蔵マイクロホンであり、当該ＭＥＭＳマイク４１の音声出力ラインは、直流カット用のコンデンサ１２を介してマイク増幅／バイアス回路４０の内部マイク入力端子（ＭＩＣＩ）２１に接続されている。また、ＭＥＭＳマイク４１の電源ラインには、マイク増幅／バイアス回路４０の内部電源／バイアス端子（ＭＶＲ）２３が接続されている。
【００４０】
一方、外部接続されるマイクロホンであるＥＣＭ２の音声出力ライン（音声出力兼電源端子）は、携帯電話端末１の外部コネクタ３を介し、さらに直流カット用のコンデンサ１３を介してマイク増幅／バイアス回路４０の外部マイク入力端子（ＭＩＣＩ）２２に接続されている。また、ＥＣＭ２の音声出力ライン（つまり外部コネクタ３の信号ライン）は、マイク増幅／バイアス回路４０の外部バイアス端子（ＭＶＲ）２４にも接続されている。
【００４１】
図１のマイク増幅／バイアス回路４０は、集積回路（ＩＣ）により構成され、演算増幅器２９、可変抵抗器２８、バッファアンプ３０、それぞれ２ｋΩ（キロオーム）の抵抗器３３，２６，２７、マイク切換スイッチ３４、ＭＥＭＳ／ＥＣＭ切換スイッチ３５等を備えている。
【００４２】
当該マイク増幅／バイアス回路４０の内部マイク入力端子２１は、入力抵抗である２ｋΩの抵抗器３３を介してマイク切換スイッチ３４の被切換端子Ａに接続されていると共に、マイク切換スイッチ３４の被切換端子Ｂにも接続されている。また、外部マイク入力端子２２は、マイク切換スイッチ３４の被切換端子Ｃに接続されている。そして、当該マイク切換スイッチ３４の共通端子は、演算増幅器２９の反転入力端子に接続されている。
【００４３】
ここで、マイク切換スイッチ３４は、内蔵マイクロホンとしてＭＥＭＳマイク４１が搭載され且つ当該ＭＥＭＳマイク４１が使用される場合には被切換端子Ａ側に切換設定され、一方、内蔵マイクロホンとしてＥＣＭが搭載され且つ当該ＥＣＭが使用される場合には被切換端子Ｂ側に切換設定される。また、マイク切換スイッチ３４は、外部接続されたマイクロホンであるＥＣＭ２を使用する場合には、被切換端子Ｃ側に切換設定される。したがって、この図１の例のように、内蔵マイクロホンとしてＭＥＭＳマイク４１が搭載され且つ当該ＭＥＭＳマイク４１を使用する場合、当該マイク切換スイッチ３４は、被切換端子Ａ側に切換設定される。
【００４４】
また、マイク増幅／バイアス回路４０の上記内部電源／バイアス端子２３は、ＭＥＭＳ／ＥＣＭ切換スイッチ３５の共通端子に接続されている。そして、ＭＥＭＳ／ＥＣＭ切換スイッチ３５の被切換端子Ｄは、バッファアンプ３０を介して２．０Ｖの電源に接続され、被切換端子Ｅは、バイアス抵抗である２ｋΩの抵抗器２６を介し更にバッファアンプ３０を介して２．０Ｖの電源に接続されている。なお、２．０Ｖの電源電圧は、本実施形態の携帯電話端末１の図示しない内蔵バッテリから発生される電源電圧に基づいて生成されている。
【００４５】
ここで、ＭＥＭＳ／ＥＣＭ切換スイッチ３５は、内蔵マイクロホンとしてＭＥＭＳマイクが搭載された場合には被切換端子Ｄ側に切換設定され、一方、内蔵マイクロホンとしてＥＣＭが搭載された場合には被切換端子Ｅ側に切換設定される。したがって、この図１の例のように、内蔵マイクロホンとしてＭＥＭＳマイク４１が搭載されている場合、当該ＭＥＭＳ／ＥＣＭ切換スイッチ３５は、被切換端子Ｄ側に切換設定される。これにより当該図１の例の場合、内部電源／バイアス端子２３から出力されてＭＥＭＳマイク４１の電源ラインに供給される電源電圧は、上記２．０Ｖの電源電圧がバッファアンプ３０を介し更に被切換端子Ｄ側に切換設定されているＭＥＭＳ／ＥＣＭ切換スイッチ３５を介した電圧となされる。
【００４６】
一方、外部バイアス端子２４は、バイアス抵抗である２ｋΩの抵抗器２７を介し更にバッファアンプ３０を介して２．０Ｖの電源に接続されている。したがって、外部バイアス端子２４から出力されてＥＣＭ２の音声出力ラインに重畳されるバイアス電圧は、上記２．０Ｖの電源電圧がバッファアンプ３０及び抵抗器２７を介した電圧となされる。
【００４７】
また、上記バッファアンプ３０の出力端は、演算増幅器２９の非反転入力端子と接続されており、上記バッファアンプ３０を介した電源電圧の２．０Ｖが当該演算増幅器２９の基準電圧となされている。
【００４８】
また、演算増幅器２９の出力端子から反転入力端子までの帰還ループ内には、可変抵抗器２８が接続されている。すなわち当該マイク増幅／バイアス回路４０では、上記可変抵抗器２８の抵抗値調整によりゲインコントロールが可能となされている。
【００４９】
そして、上記演算増幅器２９の出力端子は、マイク増幅／バイアス回路４０の音声出力端子（ＭＩＣＯ）３１に接続されており、当該音声出力端子３１が本実施形態の携帯電話端末１の図示しない音声処理回路に接続されている。なお、音声処理回路としては、例えば携帯電話端末における送話用音声処理等のような所定の音声処理を行うための回路である。
【００５０】
この図１に示した実施形態の構成によれば、携帯電話端末１の内蔵マイクロホンとしてＭＥＭＳマイク４１が搭載され、一方、外部接続されるマイクロホンとしてＥＣＭ２を用いる場合において、内蔵マイクロホンであるＭＥＭＳマイク４１を使用することにした場合には、マイク切換スイッチ３４を被切換端子Ａ側へ切換設定すると共に、ＭＥＭＳ／ＥＣＭ切換スイッチ３５を被切換端子Ｄ側へ切換設定することにより、一つのマイク増幅／バイアス回路４０により、ＭＥＭＳマイク４１に適した抵抗器の位置及び電源電圧を実現することが可能となっている。
【００５１】
〔ＭＥＭＳマイクを内蔵しＥＣＭを外部接続した構成で外部ＥＣＭを用いる例〕
図２には、携帯電話端末１の内蔵マイクロホンとして表面実装に対応したＭＥＭＳマイク４１が搭載され、一方、外部接続されるマイクロホンとしてＥＣＭ２を用いた場合において、外部接続されたマイクロホンであるＥＣＭ２を使用することにした場合のマイク増幅／バイアス回路４０の切換設定例を示している。なお、この図２において、図１に示したものと基本的に同じ機能を有する構成要素には、図１と同じ指示符号を付し、それらの詳細な説明については省略する。
【００５２】
図２の例のように、外部接続されたマイクロホンであるＥＣＭ２を使用する場合、マイク切換スイッチ３４は被切換端子Ｃ側に切換設定されることになる。これにより、外部マイク入力端子２２は演算増幅器２９の反転入力端子に接続されることになる。なお、この例の場合、ＭＥＭＳ／ＥＣＭ切換スイッチ３５については、被切換端子Ｄ，Ｅの何れに切換設定されていても良いが、ＭＥＭＳマイク４１への電力供給を遮断して携帯電話端末１の省電力化を図る場合には、上記ＭＥＭＳ／ＥＣＭ切換スイッチ３５を被切換端子Ｄ，Ｅの何れ側にも切り換えずに例えばグランドに落とすようにしても良い。
【００５３】
すなわちこの図２の例に示すように、携帯電話端末１の内蔵マイクロホンとしてＭＥＭＳマイク４１が搭載され、一方、外部接続されるマイクロホンとしてＥＣＭ２を用いる場合において、外部接続されたマイクロホンであるＥＣＭ２を使用することにした場合には、マイク切換スイッチ３４を被切換端子Ｃ側へ切換設定することにより、一つのマイク増幅／バイアス回路４０により、ＥＣＭマイク２に適した抵抗器の位置及びバイアス電圧を実現することが可能となる。
【００５４】
〔ＥＣＭを内蔵及び外部接続した構成で内部ＥＣＭを用いる例〕
図３には、携帯電話端末１の内蔵マイクロホンとしてＥＣＭ１１が搭載され、一方、外部接続されるマイクロホンとしてＥＣＭ２を用いた場合において、内蔵マイクロホンである内部ＥＣＭ１１を使用することにした場合のマイク増幅／バイアス回路４０の切換設定例を示している。なお、この図３において、図１及び図２に示したものと基本的に同じ機能を有する構成要素には、図１及び図２と同じ指示符号を付し、それらの詳細な説明については省略する。
【００５５】
図３において、内部ＥＣＭ１１は携帯電話端末１の内蔵マイクロホンであり、当該ＥＣＭマイク１１の音声出力ライン（音声出力兼電源端子）は、直流カット用のコンデンサ１２を介してマイク増幅／バイアス回路４０の内部マイク入力端子（ＭＩＣＩ）２１に接続されおり、また、当該内部ＥＣＭ１１の音声出力ラインは、マイク増幅／バイアス回路４０の内部電源／バイアス端子２３にも接続されている。
【００５６】
ここで、図３の例のように、内蔵マイクロホンである内部ＥＣＭ１１を使用する場合、マイク切換スイッチ３４は被切換端子Ｂ側に切換設定されることになる。これにより、内部マイク入力端子２１は演算増幅器２９の反転入力端子に接続されることになる。
【００５７】
一方、この図３の例の場合、ＭＥＭＳ／ＥＣＭ切換スイッチ３５は被切換端子Ｅ側に切換設定されることになる。これにより、内部電源／バイアス端子２３を介してＥＣＭ１１の音声出力ラインに重畳されるバイアス電圧は、上記２．０Ｖの電源電圧がバッファアンプ３０を介し更に抵抗器２６と被切換端子Ｅ側に切換設定されているＭＥＭＳ／ＥＣＭ切換スイッチ３５を介した電圧となされる。
【００５８】
すなわちこの図３の例に示すように、携帯電話端末１の内蔵マイクロホンとしてＥＣＭマイク１１が搭載され、一方、外部接続されるマイクロホンとしてＥＣＭ２を用いる場合において、内蔵マイクロホンであるＥＣＭ１１を使用することにした場合には、マイク切換スイッチ３４を被切換端子Ｂ側へ切換設定すると共にＭＥＭＳ／ＥＣＭ切換スイッチ３５を被切換端子Ｅ側に切換設定することにより、一つのマイク増幅／バイアス回路４０にて内部ＥＣＭマイク１１に適した抵抗器の位置及びバイアス電圧を実現することが可能となる。
【００５９】
〔ＥＣＭを内蔵及び外部接続した構成で外部ＥＣＭを用いる例〕
図４には、携帯電話端末１の内蔵マイクロホンとしてＥＣＭ１１が搭載され、一方、外部接続されるマイクロホンとしてＥＣＭ２を用いた場合において、外部接続されたマイクロホンである外部ＥＣＭ２を使用することにした場合のマイク増幅／バイアス回路４０の切換設定例を示している。なお、この図４において、図１〜図３に示したものと基本的に同じ機能を有する構成要素には、図１〜図３と同じ指示符号を付し、それらの詳細な説明については省略する。
【００６０】
図４のように、外部接続マイクロホンである外部ＥＣＭ２を使用する場合、マイク切換スイッチ３４は被切換端子Ｃ側に切換設定されることになる。これにより、外部マイク入力端子２２は演算増幅器２９の反転入力端子に接続されることになる。なお、図４の例の場合、ＭＥＭＳ／ＥＣＭ切換スイッチ３５は図３の場合と同様に被切換端子Ｅ側に切換設定される。
【００６１】
すなわちこの図４の例に示すように、携帯電話端末１の内蔵マイクロホンとしてＥＣＭマイク１１が搭載され、一方、外部接続されるマイクロホンとしてＥＣＭ２を用いる場合において、外部接続されたマイクロホンであるＥＣＭ２を使用することにした場合には、マイク切換スイッチ３４を被切換端子Ｃ側へ切換設定すると共にＭＥＭＳ／ＥＣＭ切換スイッチ３５を被切換端子Ｅ側に切換設定することにより、一つのマイク増幅／バイアス回路４０にて外部ＥＣＭマイク２に適した抵抗器の位置及びバイアス電圧を実現することが可能となる。
【００６２】
〔ＭＥＭＳマイクを内蔵しＥＣＭを外部接続し且つダミースイッチを搭載する構成〕
上述した図１〜図４の例のようなマイク増幅／バイアス回路４０（マイクロホンアンプ）における増幅率は、バイアス抵抗値或いは入力抵抗値と、ゲインコントロールのための可変抵抗器の抵抗値との比で決まる。なお、本実施形態の場合、ゲインコントロールのための可変抵抗器の抵抗値は共通となされているので、それぞれのバイアス抵抗値或いは入力抵抗値によって増幅率を比較することができる。
【００６３】
例えば、図３の構成のように、ＥＣＭを内蔵及び外部接続した構成で内部ＥＣＭ１１を用いる例の場合、実際のバイアス抵抗値は、抵抗２６の抵抗値（２ｋΩ）及びＭＥＭＳ／ＥＣＭ切換スイッチ３５の内部抵抗値とマイク切換スイッチ３４の内部抵抗値との和になる。
【００６４】
また、例えば前述の図１のように、ＭＥＭＳマイクを内蔵しＥＣＭを外部接続した構成で内部ＭＥＭＳマイク４１を用いる例の場合、実際の回路抵抗値（入力抵抗値）は、抵抗器３３の抵抗値（２ｋΩ）とマイク切換スイッチ３４の内部抵抗値との和になる。なお、図１の構成例の場合、ＭＥＭＳ／ＥＣＭ切換スイッチ３５は、ＭＥＭＳマイク４１の電源回路側となるため増幅率には関与していない。
【００６５】
また、図２の構成のように、ＭＥＭＳマイクを内蔵しＥＣＭを外部接続した構成で外部ＥＣＭ２を用いる例の場合、或いは、図４の構成のように、ＥＣＭを内蔵及び外部接続した構成で外部ＥＣＭ２を用いる例の場合、実際のバイアス抵抗値は、抵抗２７の抵抗値（２ｋΩ）とマイク切換スイッチ３４の内部抵抗値との和になる。
【００６６】
すなわち、これら図１〜図４の四つのケースでは、ＭＥＭＳ／ＥＣＭ切換スイッチ３５の有無がバイアス抵抗値或いは回路抵抗値（入力抵抗値）の差異となっており、このことから、マイク増幅／バイアス回路４０に接続されるマイクロホンの種類によって増幅率が異なってしまうことがわかる。
【００６７】
一方、本実施形態のマイク増幅／バイアス回路４０のようにＩＣウェハ上に各回路素子を形成するような場合、例えば抵抗素子については、同じ抵抗素子を形成したとしても、それらの抵抗値の絶対精度には±２０％のばらつきが発生すると見込まれる。但し、各抵抗素子を互いに近接配置して形成した場合には、それらの抵抗値の相対精度は１％以下のオーダーになる。同様に、ＩＣウェハ上にスイッチ素子を形成する場合にも、同じスイッチ素子を形成したしたとしても、それらスイッチ素子の内部抵抗の絶対精度には±２０％のばらつきが発生するが、各スイッチ素子を互いに近接配置して形成した場合には、それらの内部抵抗の相対精度は１％以下のオーダーになる。
【００６８】
これらのことから、本実施形態では、以下の図５〜図８の構成のマイク増幅／バイアス回路５０のように、ＭＥＭＳ／ＥＣＭ切換スイッチ３５と同じ構成のスイッチ素子を当該ＭＥＭＳ／ＥＣＭ切換スイッチ３５に近接配置して形成すると共に、そのスイッチ素子の被切換端子を固定（つまり切換設定が行われないスイッチとする。）にすることで、ＭＥＭＳ／ＥＣＭ切換スイッチ３５の内部抵抗値分の補償を行うようにして、当該マイク増幅／バイアス回路５０に接続されるマイクロホンの種類によって増幅率が異なってしまわないようにしている。以下、図５〜図８において、ＭＥＭＳ／ＥＣＭ切換スイッチ３５と同じ構成のスイッチ素子を特にダミースイッチ５１，５２と呼ぶことにする。なお、ダミースイッチ５１，５２に代えて、ＭＥＭＳ／ＥＣＭ切換スイッチ３５の内部抵抗値と略々同じ値の抵抗器を設けるようにしても良いが、スイッチ素子の内部抵抗と略々同じ値の抵抗器を集積回路上に形成することは難しく、ＭＥＭＳ／ＥＣＭ切換スイッチ３５と同じ構成のスイッチ素子を当該ＭＥＭＳ／ＥＣＭ切換スイッチ３５に近接配置して形成する方がより簡単であり、且つ、それらの抵抗値を揃えることも容易であるため、本実施形態では上記ダミースイッチを設けるようにしている。
【００６９】
〔ＭＥＭＳマイクを内蔵しＥＣＭを外部接続し且つダミースイッチを搭載した構成の内部ＭＥＭＳマイクを用いる例〕
図５には、携帯電話端末１の内蔵マイクロホンとしてＭＥＭＳマイク４１が搭載され、一方、外部接続されるマイクロホンとしてＥＣＭ２を用い、さらにダミースイッチ５１，５２を搭載している場合において、ＭＥＭＳマイク４１を使用することにした場合のマイク増幅／バイアス回路５０の切換設定例を示している。なお、図５において、図１〜図４と同じ構成要素にはそれぞれ同一の指示符号を付している。
【００７０】
図５において、内蔵マイクロホンであるＭＥＭＳマイク４１の音声出力ラインは、直流カット用のコンデンサ１２を介してマイク増幅／バイアス回路４０の内部マイク入力端子（ＭＩＣＩ）２１に接続されている。また、ＭＥＭＳマイク４１の電源ラインには、マイク増幅／バイアス回路５０の内部電源／バイアス端子（ＭＶＲ）２３が接続されている。
【００７１】
一方、外部接続されるマイクロホンであるＥＣＭ２の音声出力ライン（音声出力兼電源端子）は、携帯電話端末１の外部コネクタ３を介し、さらに直流カット用のコンデンサ１３を介してマイク増幅／バイアス回路５０の外部マイク入力端子（ＭＩＣＩ）２２に接続されている。また、ＥＣＭ２の音声出力ライン（外部コネクタ３の信号ライン）は、マイク増幅／バイアス回路５０の外部バイアス端子（ＭＶＲ）２４にも接続されている。
【００７２】
図５のマイク増幅／バイアス回路５０は、集積回路（ＩＣ）により構成され、演算増幅器２９、可変抵抗器２８、バッファアンプ３０、それぞれ２ｋΩ（キロオーム）の抵抗器３３，２６，２７、マイク切換スイッチ３４、ＭＥＭＳ／ＥＣＭ切換スイッチ３５、ダミースイッチ５１及び５２等を備えている。
【００７３】
当該マイク増幅／バイアス回路５０の内部マイク入力端子２１は、被切換端子が固定設定されたダミースイッチ５１を介し、さらに入力抵抗である２ｋΩの抵抗器３３を介してマイク切換スイッチ３４の被切換端子Ａに接続されていると共に、マイク切換スイッチ３４の被切換端子Ｂにも接続されている。なお、ダミースイッチ５１は、上記ＭＥＭＳ／ＥＣＭ切換スイッチ３５と同じ構成のスイッチ素子であり、また集積回路上で当該ＭＥＭＳ／ＥＣＭ切換スイッチ３５に近接配置して形成されている。また、外部マイク入力端子２２は、マイク切換スイッチ３４の被切換端子Ｃに接続されている。そして、当該マイク切換スイッチ３４の共通端子は、演算増幅器２９の反転入力端子に接続されている。
【００７４】
マイク切換スイッチ３４は、前述同様に、内蔵マイクロホンとしてＭＥＭＳマイク４１が搭載され且つ当該ＭＥＭＳマイク４１が使用される場合には被切換端子Ａ側に切換設定され、一方、内蔵マイクロホンとしてＥＣＭが搭載され且つ当該ＥＣＭが使用される場合には被切換端子Ｂ側に切換設定される。また、マイク切換スイッチ３４は、外部接続されたマイクロホンであるＥＣＭ２を使用する場合には、被切換端子Ｃ側に切換設定される。したがって、この図５の例のように、内蔵マイクロホンとしてＭＥＭＳマイク４１が搭載され且つ当該ＭＥＭＳマイク４１を使用する場合、当該マイク切換スイッチ３４は、被切換端子Ａ側に切換設定される。
【００７５】
また、マイク増幅／バイアス回路５０の上記内部電源／バイアス端子２３は、ＭＥＭＳ／ＥＣＭ切換スイッチ３５の共通端子に接続されている。そして、ＭＥＭＳ／ＥＣＭ切換スイッチ３５の被切換端子Ｄは、バッファアンプ３０を介して２．０Ｖの電源に接続され、被切換端子Ｅは、バイアス抵抗である２ｋΩの抵抗器２６を介し更にバッファアンプ３０を介して２．０Ｖの電源に接続されている。
【００７６】
上記ＭＥＭＳ／ＥＣＭ切換スイッチ３５は、内蔵マイクロホンとしてＭＥＭＳマイクが搭載された場合には被切換端子Ｄ側に切換設定され、一方、内蔵マイクロホンとしてＥＣＭが搭載された場合には被切換端子Ｅ側に切換設定される。したがって、この図５の例のように、内蔵マイクロホンとしてＭＥＭＳマイク４１が搭載されている場合、当該ＭＥＭＳ／ＥＣＭ切換スイッチ３５は、被切換端子Ｄ側に切換設定される。これにより当該図５の例の場合、内部電源／バイアス端子２３から出力されてＭＥＭＳマイク４１の電源ラインに供給される電源電圧は、上記２．０Ｖの電源電圧がバッファアンプ３０を介し更に被切換端子Ｄ側に切換設定されているＭＥＭＳ／ＥＣＭ切換スイッチ３５を介した電圧となされる。
【００７７】
外部バイアス端子２４は、被切換端子が固定設定されたダミースイッチ５１を介し、更にバイアス抵抗である２ｋΩの抵抗器２７とバッファアンプ３０を介して２．０Ｖの電源に接続されている。したがって、外部バイアス端子２４から出力されてＥＣＭ２の音声出力ラインに重畳されるバイアス電圧は、上記２．０Ｖの電源電圧がバッファアンプ３０と抵抗器２７及びダミースイッチ５２の内部抵抗を介した電圧となされる。なお、ダミースイッチ５２は、上記ＭＥＭＳ／ＥＣＭ切換スイッチ３５と同じ構成のスイッチ素子であり、また集積回路上で当該ＭＥＭＳ／ＥＣＭ切換スイッチ３５に近接配置して形成されている。
【００７８】
また、上記バッファアンプ３０の出力端は、演算増幅器２９の非反転入力端子と接続されており、上記バッファアンプ３０を介した電源電圧の２．０Ｖが当該演算増幅器２９の基準電圧となされている。
【００７９】
また、演算増幅器２９の出力端子から反転入力端子までの帰還ループ内には、可変抵抗器２８が接続されている。すなわち当該マイク増幅／バイアス回路５０では、上記可変抵抗器２８の抵抗値調整によりゲインコントロールが可能となされている。
【００８０】
そして、上記演算増幅器２９の出力端子は、マイク増幅／バイアス回路５０の音声出力端子（ＭＩＣＯ）３１に接続されており、当該音声出力端子３１が本実施形態の携帯電話端末１の図示しない音声処理回路に接続されている。
【００８１】
この図５に示した実施形態の構成によれば、携帯電話端末１の内蔵マイクロホンとしてＭＥＭＳマイク４１が搭載され、一方、外部接続されるマイクロホンとしてＥＣＭ２を用いる場合において、内蔵マイクロホンであるＭＥＭＳマイク４１を使用することにした場合には、マイク切換スイッチ３４を被切換端子Ａ側へ切換設定すると共に、ＭＥＭＳ／ＥＣＭ切換スイッチ３５を被切換端子Ｄ側へ切換設定することにより、一つのマイク増幅／バイアス回路４０により、ＭＥＭＳマイク４１に適した抵抗器の位置及び電源電圧を実現することが可能となっている。また、図５の構成によれば、マイク増幅／バイアス回路５０の実際の回路抵抗値（入力抵抗値）は、抵抗器３３の抵抗値（２ｋΩ）とマイク切換スイッチ３４の内部抵抗値及びダミースイッチ５１の内部抵抗値との和になっている。
【００８２】
〔ＭＥＭＳマイクを内蔵しＥＣＭを外部接続し且つダミースイッチを搭載した構成の外部ＥＣＭを用いる例〕
図６には、携帯電話端末１の内蔵マイクロホンとして表面実装に対応したＭＥＭＳマイク４１が搭載され、一方、外部接続されるマイクロホンとしてＥＣＭ２を用い、さらにダミースイッチ５１，５２を搭載している場合において、外部接続されたマイクロホンであるＥＣＭ２を使用することにした場合のマイク増幅／バイアス回路４０の切換設定例を示している。なお、この図６において、図５に示したものと基本的に同じ機能を有する構成要素には、図５と同じ指示符号を付し、それらの詳細な説明については省略する。
【００８３】
図６の例のように、外部接続されたマイクロホンであるＥＣＭ２を使用する場合、マイク切換スイッチ３４は被切換端子Ｃ側に切換設定されることになる。これにより、外部マイク入力端子２２は演算増幅器２９の反転入力端子に接続されることになる。なお、この例の場合、ＭＥＭＳ／ＥＣＭ切換スイッチ３５については、被切換端子Ｄ，Ｅの何れに切換設定されていても良いが、ＭＥＭＳマイク４１への電力供給を遮断して携帯電話端末１の省電力化を図る場合には、上記ＭＥＭＳ／ＥＣＭ切換スイッチ３５を被切換端子Ｄ，Ｅの何れ側にも切り換えずに例えばグランドに落とすようにしても良い。
【００８４】
すなわちこの図６の例に示すように、携帯電話端末１の内蔵マイクロホンとしてＭＥＭＳマイク４１が搭載され、一方、外部接続されるマイクロホンとしてＥＣＭ２を用いる場合において、外部接続されたマイクロホンであるＥＣＭ２を使用することにした場合には、マイク切換スイッチ３４を被切換端子Ｃ側へ切換設定することにより、一つのマイク増幅／バイアス回路４０により、ＥＣＭマイク２に適した抵抗器の位置及びバイアス電圧を実現することが可能となる。また、図６の構成によれば、マイク増幅／バイアス回路５０の実際のバイアス抵抗値は、抵抗２７の抵抗値（２ｋΩ）とダミースイッチ５２の内部抵抗値及びマイク切換スイッチ３４の内部抵抗値との和になる。
【００８５】
〔ＥＣＭを内蔵及び外部接続し且つダミースイッチを搭載した構成で内部ＥＣＭを用いる例〕
図７には、携帯電話端末１の内蔵マイクロホンとしてＥＣＭ１１が搭載され、一方、外部接続されるマイクロホンとしてＥＣＭ２を用い、さらにダミースイッチ５１，５２を搭載している場合において、内蔵マイクロホンである内部ＥＣＭ１１を使用することにした場合のマイク増幅／バイアス回路５０の切換設定例を示している。なお、この図７において、図５及び図６に示したものと基本的に同じ機能を有する構成要素には、図５及び図６と同じ指示符号を付し、それらの詳細な説明については省略する。
【００８６】
図７において、内部ＥＣＭ１１は携帯電話端末１の内蔵マイクロホンであり、当該ＥＣＭマイク１１の音声出力ライン（音声出力兼電源端子）は、直流カット用のコンデンサ１２を介してマイク増幅／バイアス回路４０の内部マイク入力端子（ＭＩＣＩ）２１に接続されおり、また、当該内部ＥＣＭ１１の音声出力ラインは、マイク増幅／バイアス回路４０の内部電源／バイアス端子２３にも接続されている。
【００８７】
ここで、図７の例のように、内蔵マイクロホンである内部ＥＣＭ１１を使用する場合、マイク切換スイッチ３４は被切換端子Ｂ側に切換設定されることになる。これにより、内部マイク入力端子２１は演算増幅器２９の反転入力端子に接続されることになる。
【００８８】
一方、この図７の例の場合、ＭＥＭＳ／ＥＣＭ切換スイッチ３５は被切換端子Ｅ側に切換設定されることになる。これにより、内部電源／バイアス端子２３を介してＥＣＭ１１の音声出力ラインに重畳されるバイアス電圧は、上記２．０Ｖの電源電圧がバッファアンプ３０を介し更に抵抗器２６と被切換端子Ｅ側に切換設定されているＭＥＭＳ／ＥＣＭ切換スイッチ３５を介した電圧となされる。
【００８９】
すなわちこの図７の例に示すように、携帯電話端末１の内蔵マイクロホンとしてＥＣＭマイク１１が搭載され、一方、外部接続されるマイクロホンとしてＥＣＭ２を用いる場合において、内蔵マイクロホンであるＥＣＭ１１を使用することにした場合には、マイク切換スイッチ３４を被切換端子Ｂ側へ切換設定すると共にＭＥＭＳ／ＥＣＭ切換スイッチ３５を被切換端子Ｅ側に切換設定することにより、一つのマイク増幅／バイアス回路５０にて内部ＥＣＭマイク１１に適した抵抗器の位置及びバイアス電圧を実現することが可能となる。また、図７の構成によれば、マイク増幅／バイアス回路５０の実際のバイアス抵抗値は、抵抗２６の抵抗値（２ｋΩ）及びＭＥＭＳ／ＥＣＭ切換スイッチ３５の内部抵抗値とマイク切換スイッチ３４の内部抵抗値との和になる。
【００９０】
〔ＥＣＭを内蔵及び外部接続し且つダミースイッチを搭載した構成で外部ＥＣＭを用いる例〕
図８には、携帯電話端末１の内蔵マイクロホンとしてＥＣＭ１１が搭載され、一方、外部接続されるマイクロホンとしてＥＣＭ２を用い、さらにダミースイッチ５１，５２を搭載している場合において、外部接続されたマイクロホンである外部ＥＣＭ２を使用することにした場合のマイク増幅／バイアス回路４０の切換設定例を示している。なお、この図８において、図５〜図７に示したものと基本的に同じ機能を有する構成要素には、図５〜図７と同じ指示符号を付し、それらの詳細な説明については省略する。
【００９１】
図８のように、外部接続マイクロホンである外部ＥＣＭ２を使用する場合、マイク切換スイッチ３４は被切換端子Ｃ側に切換設定されることになる。これにより、外部マイク入力端子２２は演算増幅器２９の反転入力端子に接続されることになる。なお、図８の例の場合、ＭＥＭＳ／ＥＣＭ切換スイッチ３５は図７の場合と同様に被切換端子Ｅ側に切換設定される。
【００９２】
すなわちこの図８の例に示すように、携帯電話端末１の内蔵マイクロホンとしてＥＣＭマイク１１が搭載され、一方、外部接続されるマイクロホンとしてＥＣＭ２を用いる場合において、外部接続されたマイクロホンであるＥＣＭ２を使用することにした場合には、マイク切換スイッチ３４を被切換端子Ｃ側へ切換設定すると共にＭＥＭＳ／ＥＣＭ切換スイッチ３５を被切換端子Ｅ側に切換設定することにより、一つのマイク増幅／バイアス回路４０にて外部ＥＣＭマイク２に適した抵抗器の位置及びバイアス電圧を実現することが可能となる。また、図８の構成によれば、マイク増幅／バイアス回路５０の実際のバイアス抵抗値は、抵抗２７の抵抗値（２ｋΩ）とダミースイッチ５２の内部抵抗値及びマイク切換スイッチ３４の内部抵抗値との和になる。
【００９３】
〔図５〜図８の四つのケースにおける増幅率〕
上述したように、図５の構成では、マイク増幅／バイアス回路５０の実際の回路抵抗値（入力抵抗値）は抵抗器３３の抵抗値（２ｋΩ）とマイク切換スイッチ３４の内部抵抗値及びダミースイッチ５１の内部抵抗値との和になり、図６の構成では、マイク増幅／バイアス回路５０の実際のバイアス抵抗値は、抵抗器２７の抵抗値（２ｋΩ）とダミースイッチ５２の内部抵抗値及びマイク切換スイッチ３４の内部抵抗値との和になり、図７の構成では、マイク増幅／バイアス回路５０の実際のバイアス抵抗値は抵抗２６の抵抗値（２ｋΩ）及びＭＥＭＳ／ＥＣＭ切換スイッチ３５の内部抵抗値とマイク切換スイッチ３４の内部抵抗値との和になり、図８の構成では、マイク増幅／バイアス回路５０の実際のバイアス抵抗値は、抵抗２７の抵抗値（２ｋΩ）とダミースイッチ５２の内部抵抗値及びマイク切換スイッチ３４の内部抵抗値との和になっている。すなわち、これら図５〜図８の四つのケースにおいては、マイク増幅／バイアス回路５０の実際のバイアス抵抗値或いは回路抵抗値がそれぞれ略々等しくなり、内部マイク入力端子２１に接続されたＭＥＭＳマイク４１或いはＥＣＭ１１を使う場合や、外部マイク入力端子２２に接続されたＥＣＭ２を使う場合のように、接続されるマイクロホンの種類が異なったとしても、マイク増幅／バイアス回路５０の増幅率が変わらないことになる。
【００９４】
〔まとめ〕
以上説明したように、本発明の実施形態によれば、マイク切換スイッチ３４とＭＥＭＳ／ＥＣＭ切換スイッチ３５を設け、これらスイッチを切り換えることにより、一つのマイク増幅／バイアス回路でＭＥＭＳマイクとＥＣＭの両者に適した抵抗器の位置及び電源電圧／バイアス電圧を実現しており、ＭＥＭＳマイクとＥＣＭの何れについても信号増幅と電源電圧／バイアス電圧の供給とを行うことが可能となっている。また、本発明の実施形態によれば、ＭＥＭＳ／ＥＣＭ切換スイッチ３５と同じ構成のダミースイッチを当該ＭＥＭＳ／ＥＣＭ切換スイッチ３５に近接配置して形成すると共に、そのダミースイッチの被切換端子を固定に設定し、ＭＥＭＳ／ＥＣＭ切換スイッチ３５の内部抵抗値分の補償を行うことにより、当該マイク増幅／バイアス回路に接続されるマイクロホンの種類によって増幅率が異なってしまわないようにすることが可能となっている。
【００９５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００９６】
上述した図１〜図８の構成例では、外部のマイクロホンとしてＥＣＭが接続される例を挙げたが、本発明は、外部マイクロホンを接続せず、内蔵マイクロホンをＥＭＣとＭＥＭＳマイクの何れか一方に接続する場合のみにも適用可能である。
【図面の簡単な説明】
【００９７】
【図１】ＭＥＭＳマイクを内蔵しＥＣＭを外部接続した構成で内部ＭＥＭＳマイクを用いる場合の本実施形態のマイク増幅／バイアス回路の切換設定例の説明に用いる回路図である。
【図２】ＭＥＭＳマイクを内蔵しＥＣＭを外部接続した構成で外部ＥＣＭを用いる場合の本実施形態のマイク増幅／バイアス回路の切換設定例の説明に用いる回路図である。
【図３】ＥＣＭを内蔵及び外部接続した構成で内部ＥＣＭを用いる場合の本実施形態のマイク増幅／バイアス回路の切換設定例の説明に用いる回路図である。
【図４】ＥＣＭを内蔵及び外部接続した構成で外部ＥＣＭを用いる場合の本実施形態のマイク増幅／バイアス回路の切換設定例の説明に用いる回路図である。
【図５】ＭＥＭＳマイクを内蔵しＥＣＭを外部接続し且つダミースイッチを搭載した構成の内部ＭＥＭＳマイクを用いる場合の本実施形態のマイク増幅／バイアス回路の切換設定例の説明に用いる回路図である。
【図６】ＭＥＭＳマイクを内蔵しＥＣＭを外部接続し且つダミースイッチを搭載した構成の外部ＥＣＭを用いる場合の本実施形態のマイク増幅／バイアス回路の切換設定例の説明に用いる回路図である。
【図７】ＥＣＭを内蔵及び外部接続し且つダミースイッチを搭載した構成で内部ＥＣＭを用いる場合の本実施形態のマイク増幅／バイアス回路の切換設定例の説明に用いる回路図である。
【図８】ＥＣＭを内蔵及び外部接続し且つダミースイッチを搭載した構成で外部ＥＣＭを用いる場合の本実施形態のマイク増幅／バイアス回路の切換設定例の説明に用いる回路図である。
【図９】ＥＣＭとその周辺回路として用いられるマイクロホンアンプの一構成例を示す回路図である。
【図１０】ＭＥＭＳマイクとその周辺回路として用いられるマイクロホンアンプの一構成例を示す回路図である。
【図１１】内蔵マイクロホンのＥＣＭと外部接続されたマイクロホンのＥＣＭを切り換えて使用する場合のマイク増幅／バイアス回路の一構成例を示す回路図である。
【符号の説明】
【００９８】
１  携帯電話端末、２  外部マイクロホンのＥＣＭ、３  外部コネクタ、１１  内部マイクロホンのＥＣＭ、１２，１３  直流カット用のコンデンサ、２１  内部マイク入力端子、  ２２  外部マイク入力端子、２３  内部電源／バイアス端子、２４  外部バイアス端子、２６，２７，３３  ２ｋΩの抵抗器、２８  可変抵抗器、２９  演算増幅器、３０  バッファアンプ、３１  音声出力端子、３４  マイク切換スイッチ、３５  ＭＥＭＳ／ＥＣＭ切換スイッチ、４０，５０  マイク増幅／バイアス回路、４１  内部マイクロホンのＭＥＭＳマイク、５１，５２  ダミースイッチ
【図１】
2008301406.tif 000003
【図２】
2008301406.tif 000004
【図３】
2008301406.tif 000005
【図４】
2008301406.tif 000006
【図５】
2008301406.tif 000007
【図６】
2008301406.tif 000008
【図７】
2008301406.tif 000009
【図８】
2008301406.tif 000010
【図９】
2008301406.tif 000011
【図１０】
2008301406.tif 000012
【図１１】
2008301406.tif 000013